【事件の表示】
　特願２００２−　６４２２３「アダプティブアンテナ」拒絶査定不服審判事件〔平成１５年　９月１９日出願公開、特開２００３−２６４４１９〕について、次のとおり審決する。
【結　論】
　本件審判の請求は、成り立たない。
【理　由】
１．手続の経緯と本願発明
　本願は、平成１４年３月８日の出願であって、特許請求の範囲の請求項１に係る発明（以下、「本願発明」という。）は、平成１７年６月２０日付け手続補正書により補正された明細書及び図面の記載からみて、その特許請求の範囲の請求項１に記載された以下のとおりのものと認める。
（本願発明）
　「平面上あるいは曲面上に配列された複数のアンテナ素子を備え、上記配列された複数のアンテナ素子のうちの一つを放射素子とし、また他のすべてのアンテナ素子をパラサイト素子として構成したＥＳＰＡＲアンテナと、
　上記ＥＳＰＡＲアンテナのパラサイト素子ごとに、対応するパラサイト素子の出力を、負荷、短絡、開放の３つの状態のいずれかに設定するように状態を切り替えるスイッチング手段と、
　上記アンテナの放射素子が受信した受信信号を復調するとともに、学習に用いる規範信号を発生する受信装置と、
　上記受信信号と学習に用いる規範信号とに基づいて、上記ＥＳＰＡＲアンテナの各パラサイト素子の出力を制御するアンテナ制御部とを備え、
　上記アンテナ制御部は、上記受信装置からの受信信号と学習に用いる規範信号とに基づいて上記スイッチング手段を制御するためのスイッチング制御信号を発生するスイッチング制御信号発生手段により構成され、学習過程による収束処理を行ってアンテナ指向性の最適解を求めるものであることを特徴とするアダプティブアンテナ。」
　
２．引用発明
　Ａ．これに対して、原審の拒絶理由に引用された特開平１０−１５４９１１号公報（以下、「引用例」という。）には図面とともに以下の事項が記載されている。
　イ．「【請求項１】通信ネットワーク内に複数の通信ノードを有する通信システムであって、前記複数の通信ノードの内のローカル通信ノードは、
ａ）データを伝搬する無線信号を送信するデータ入力を有する中央の放射素子と、前記放射素子に近接し、それぞれ制御入力を有するパラスティック（parasitic）素子とを有する無線アンテナ・アレイと、
ｂ）それぞれ前記複数のパラスティック素子の１つに接続され、前記無線信号に対する前記パラスティック素子それぞれのパラスティック・インピーダンスを選択的に変化させる複数のインピーダンス・スイッチイング回路と、
ｃ）前記放射素子に接続され、前記ネットワーク内の他の前記通信ノードとの間で、前記無線信号によりデータを送受信する第１のデータ経路と、前記スイッチング回路と接続され、選択された前記アンテナ・アレイの方向を示す制御信号を出力する第２のデータ経路とを有するコンピュータと、
ｄ）前記コンピュータ内にあって、プログラム命令と、前記ローカル通信ノードと前記複数の通信ノードの内の他の通信ノードとの間の方向を示すアンテナ方向値のテーブルとを記憶するメモリとを含み、
前記無線アンテナ・アレイは、全ての前記パラスティック素子が高インピーダンス状態の時に、無指向性モードの無線信号をブロードキャスト（broadcast）し、前記インピーダンス・スイッチング回路に応答して、選択された一部の複数の前記パラスティック素子が選択的に低インピーダンス状態の時に、指向性モードの無線信号を選択された前記アンテナ・アレイの方向にブロードキャストし、
前記コンピュータは、前記他の通信ノードの内の選択されたいずれかに対する選択されたアンテナ方向値を前記メモリにアクセスして得て、前記第２のデータ経路を介して、前記スイッチング回路に対して前記制御信号を出力し、前記放射素子と前記第１のデータ経路を介して前記データを送受信して、選択された前記通信ノードと通信する通信システム。
【請求項２】前記スイッチング回路は、
実質的に水平な接地面上に、非励起素子として実質的に垂直に設けられる導体と、
第１の端部が前記導体に接続され、高周波的に低いインピーダンスを介して第２の端部が前記接地面に接続され、電気的な長さが実質的に前記無線信号の１／４波長分であって、前記第１の端部で高いインピーダンスを示すプリント回路伝送路と、
前記導体と前記接地面との間に接続され、順バイアス時に低インピーダンスを示し、逆バイアス時に高インピーダンスを示すスイッチング素子と、
前記プリント回路伝送路の前記第２の端部とバイアス源との間に接続され、前記バイアス源が前記コンピュータからの前記第２のデータ経路に接続される制御入力を有し、前記スイッチング素子を選択的に順バイアスし、前記無線信号に対するパラスティック・インピーダンスを低減するスイッチとを有する請求項１に記載の通信システム。
【請求項３】前記コンピュータは、
ｉ）前記無指向性モードを選択し、前記他の通信ノードのいずれかから、前記ローカル通信ノードに向けにではなくブロードキャストされた前記無線信号を受信する受信手段と、
ｉｉ）前記制御信号を順次、前記スイッチング回路に対して出力し、前記アンテナ・アレイの方向の選択を順次、変化される走査手段と、
ｉｉｉ）前記ブロードキャストされた無線信号の受信に好適な方向を識別する比較手段と、
ｉｖ）前記他の通信ノードのいずれかの同一性を識別する識別手段とを含む請求項１に記載の通信システム。」（２頁１〜２欄、請求項１〜３）
　ロ．「【００１８】本発明の別の目的は、コンピュータ操作でビームが操作される可変負荷のパラスティック・アンテナ・アレイを使用し、無線通信システム内の複数の通信ノード間で通信する方法を提供することである。」（４頁６欄、段落１８）
　ハ．「【００３７】図４では、図３に関連して前述したように、カード１０の下半分（９０度乃至２７０度）内の１０個のパラスティック素子１４が、それらの関連スイッチング素子２０が順バイアスされることにより短絡される。カードの上半分（３１５度乃至４５度）内の残りの６素子は、スイッチング素子２０が逆バイアスされることにより、開回路にされる。アレイのこの状態は、短絡されたパラスティック素子から遠ざかる方向に向けられるビーム２９を放射器１２から生成する。本発明におけるパラスティック素子の負荷は、従来技術、主に前記Harrington論文により提案される負荷とは異なる。本発明においては、パラスティック素子のリアクタンス的な負荷は、Harrington論文で述べられる連続的な範囲ではなく、低インピーダンスまたは高インピーダンス状態に限定される。」（７頁１２欄〜８頁１３欄、段落３７）
　ニ．「【００４９】コンピュータ・モデム３４はメモリ４０に記憶されるプログラム命令を実行し、無線通信システム３０内の他の通信ノードの位置を求め、識別し、それと通信する。オペレーティング・システム４６は無線通信システム内の他の通信ノードの生成、識別、位置指定及び通信において、コンピュータ・モデムを制御する。受信及び検出プログラム４８は、アンテナを無指向性モードにセットする信号を供給し、受信通信ノードに信号を向けていない他の通信ノードの１つから信号を受信する。比較プログラム５０は受信信号の好適な方向を識別する。復号プログラム５２は、受信信号の発信元の通信ノードを識別する。走査プログラム５４は、アンテナの選択方向を順次、変更するように順次制御信号をスイッチング回路に出力する。オペレーティング・システムの制御の下で記憶プログラムを使用することにより、アンテナ及びスイッチ３４がコンピュータ・モデム３４と協動して、無線通信システム３０内の他の通信ノードの位置を求め、識別し、それと通信する。」（９頁１５欄、段落４９）
　ホ．「【００５５】ステップ３では、受信された伝送パケットが復号プログラム５２を用いてコンピュータ・モデムにより調べられ、送信通信ノードが決定され、その後ステップ４で、受信された振幅がメモリ内のテーブルに記憶され、比較プログラム５０を用いて比較されることにより、送信通信ノードの相対方向が決定される。」（９頁１６欄、段落５５）
　
　上記引用例の記載及び図面ならびにこの分野における技術常識を考慮すると、上記「複数のパラスティック素子」は「実質的に水平な接地面上に、非励起素子として実質的に垂直に設けられ」ており、上記１つの「中央の放射素子」と併せて「複数のアンテナ素子」を構成している。また、上記「パラスティック素子」は「パラサイト素子」であり、当該パラスティック素子を用いた上記「コンピュータ操作でビームが操作される可変負荷のパラスティック・アンテナ・アレイ」からなる上記「無線アンテナ・アレイ」はいわゆる「ＥＳＰＡＲアンテナ」（Electronically Steerable Passive Array Radiator Antenna）である。
　また上記「前記導体と前記接地面との間に接続され、順バイアス時に低インピーダンスを示し、逆バイアス時に高インピーダンスを示すスイッチング素子」はいわゆる「上記アレイアンテナのパラサイト素子ごとに、対応するパラサイト素子の出力を、短絡、開放の２つの状態のいずれかに設定するように状態を切り替えるスイッチング手段」を構成しており、「短絡」時の素子は例えば第４図によれば「反射器」として動作し、「開放」時は接地面から切り離され「反射器」でも「導波器」でもない状態（即ち、「無反射器」）となるものである。
　また上記「コンピュータ」は「無線信号を受信する受信手段」を備えるものであるから、当該「コンピュータ」は一種の「受信装置」であり、上記「コンピュータ・モデム」は「上記アンテナの放射素子が受信した受信信号を復調する」手段である。
　また上記「コンピュータ」（即ち、受信装置）は「ブロードキャストされた無線信号の受信に好適な方向を識別する比較手段」を備え、「前記スイッチング回路と接続され、選択された前記アンテナ・アレイの方向を示す制御信号を出力」し、当該「制御信号」により「スイッチング素子」を切り替え、前記「パラサイト素子」のインピーダンス状態を制御する「走査手段」（即ち、「アンテナ制御部」）を備えている。
　したがって、上記引用例には以下の発明（以下、「引用発明」という。）が記載されている。
（引用発明）
　「平面上に配列された複数のアンテナ素子を備え、上記配列された複数のアンテナ素子のうちの一つを放射素子とし、また他のすべてのアンテナ素子をパラサイト素子として構成したＥＳＰＡＲアンテナと、
　上記ＥＳＰＡＲアンテナのパラサイト素子ごとに、対応するパラサイト素子の出力を、短絡、開放の２つの状態のいずれかに設定するように状態を切り替えるスイッチング手段と、
　上記アンテナの放射素子が受信した受信信号を復調するとともに、制御信号を発生する受信装置と、
　上記制御信号に基づいて、上記ＥＳＰＡＲアンテナの各パラサイト素子の出力を制御するアンテナ制御部とを備えた通信システム。」
　
　Ｂ．同じく原審の拒絶理由に引用された特開昭５５−５２６０３号公報（以下、「周知例１」という。）には図面とともに以下の事項イ、ロが記載されており、また例えば特開２００１−２４４３１号公報（以下、「周知例２」という。）には図面とともに以下の事項ハ、二が記載されている。
（周知例１）
　イ．「第１図は無給電空中線の負荷インピーダンスを順次切換操作する従来の回転指向性空中線装置の空中線素子の配列例を示す図で、０は無指向性の給電空中線、１〜６は円周上に等間隔に配置した無給電空中線、７は給電空中線０の出力を方向探知機受信機部の入力回路に供給する給電線、Ｓ１〜Ｓ６は無給電空中線の負荷インピーダンスを順次切換操作する切換器、Ｚａは無給電空中線が無反射または反射器となる負荷インピーダンス、Ｚｂは無給電空中線が導波器となる負荷インピーダンスである。」（１頁右下欄１０〜２０行目）
　ロ．「第１図において例えば無給電空中線１を導波器としたとき、給電空中線０は他の無給電空中線２〜６によつて２４０度の範囲にわたつて取囲まれることになり、第２図のような所定のカージオイド形の単向性指向特性を得るには無給電空中線２〜６のうち少なくとも２と６は完全な無反射素子でなければならない。」（２頁左上欄１３〜１９行目）
　
（周知例２）
　ハ．「【００２７】
【実施例】本発明者は、以上の実施形態に係るアレーアンテナ装置の性能を検証するために以下のシミュレーションを行った。ここで、図６及び図７の解析モデルを用いる。本実施形態のアレーアンテナ装置の設計上で重要なパラメータは以下の通りである。
【００２８】（１）無給電可変リアクタンス素子ＡＡ１乃至ＡＡ６の本数Ｎ及び長さｌｎ（ｎ＝１，２，…，Ｎ）：Ｎは実施形態では６であるが、これは一例である。また、長さｌｎは３６０度走査を考慮し、好ましくは、すべての無給電可変リアクタンス素子ＡＡ１乃至ＡＡ６で同一の値とする。
（２）給電アンテナ素子ＡＡ０と無給電可変リアクタンス素子ＡＡ０乃至ＡＡ６の間隔ｄ。（３）無給電可変リアクタンス素子ＡＡｎに装荷するリアクタンスの値Ｘｎ。
【００２９】このうち、上記（１）及び（２）のパラメータは設計により決定したら動かせないパラメータであるのに対して、上記（３）のパラメータは上述の通り、可変容量ダイオードＤ１によりある程度の幅で電子的に制御可能なパラメータである。最適なパラメータ決定のための基礎データを得るため、本実施形態のＥＳＰＡＲアンテナ装置のパラメータをある程度変化させた時の諸特性をモーメント法を用いて計算した。解析は接地導体１１が無限大であると仮定し、自由空間中にダイポールアンテナが配置されたものとして行った。解析モデルを図６及び図７に示す。各パラメータのセットが次の表１に示す値をとる場合の、入力インピーダンスＺｉｎ、利得Ｇａｉｎ、電界が最大（Ｅmax）又は最小（Ｅmin）となる角度Ｄｅｇ（Ｅmax），Ｄｅｇ（Ｅmin）、並びに、電界の最大値と最小値の比Ｅmin／Ｅmaxの計算値を表２に示す。なお、表１において、Ｚｎ＝Ｘｎである。」（４頁６欄、段落２７〜２９）
　ニ．第１表のケース１には「無給電可変リアクタンス素子ＡＡｎに装荷するリアクタンスの値Ｘｎ」として「＋ｊ２０」、「０」、「−ｊ２０」の３値を用いる例が開示されている。
　
　上記周知例２における３値（「＋ｊ２０」、「０」、「−ｊ２０」）は例えば６本の無給電可変リアクタンス素子の長さをそれぞれ延長、不変、短縮のいずれかに設定するものであり、換言すれば、当該構成は無給電可変リアクタンス素子をそれぞれ反射器、無反射器、導波器のいずれかの状態にするものである。
　したがって、例えば上記周知例１、２に開示されているように「パラサイト素子ごとに、対応するパラサイト素子を、導波器、無反射器、反射器の３つの状態のいずれかに設定して望ましい指向特性を得るＥＳＰＡＲアンテナ」は周知である。
　
　Ｃ．同じく原審の拒絶理由に引用された特開２００１−３６３３７号公報（以下、「周知例３」という。）には図面とともに以下の事項イが記載されており、また例えば特開昭５０−１１７３４３号公報（以下、「周知例４」という。）には図面とともに以下の事項ロが記載されている。
（周知例３）
　イ．「【００６５】本発明の指向性切換え方法は、第１アンテナ素子を中心として、３本以上の第２アンテナ素子、スイッチ回路及び第１キャパシタンスを同心円上等間隔に配設し、前記スイッチ回路の１つを切断し、他のすべてを接続することにより指向性を切換える方法を採る。
【００６６】この方法により、無給電アンテナ素子の１つを導波器として作用させ、他を反射器として作用させて指向性を多方向に切換えることができ、しかも、アンテナ素子の間隔を１／４波長以下としても反射器として動作させることができるので、従来のものよりも小型の装置で高利得な指向性を実現することができる。」（６頁９〜１０欄、段落６５〜６６）
　
（周知例４）
　ロ．「給電する無指向性アンテナと、この無指向性アンテナを中心として、その外側に所定間隔あけて配置された所定の電気長の複数個の非給電素子と、上記各非給電素子を２分する箇所に各々設けられたスイッチング素子を含む可変インピーダンス回路を具備し、かつ上記各可変インピーダンス回路のスイッチング素子のうち少なくとも１個をオン、オフさせて該スイッチング素子の属する非給電素子のインピーダンスを或る周波数で容量性もしくは誘導性にし、導波器もしくは反射器として動作させることにより、アンテナの指向性を任意の有指向性もしくは無指向性に変化出来るようにしたことを特徴とする可変指向性アンテナ装置。」（１頁左下欄、特許請求の範囲）
　
　上記周知例３、４に開示されているように「パラサイト素子ごとに、対応するパラサイト素子の出力を、負荷（即ち、導波器）、短絡（即ち、反射器）の２つの状態のいずれかに設定するスイッチング手段を備えたＥＳＰＡＲアンテナ」は周知である。
　
　Ｄ．同じく原審の拒絶理由に周知例として引用された特開２００１−２５１１３４号公報（以下、「周知例５」という。）には図面とともに以下の事項が記載されている。
　イ．「【０００２】
【従来の技術】従来の、Genetic Algorithms（以下、「ＧＡ」という）を用いた八木・宇田アンテナの設計法は例えば文献１：Eric A.Jones, William T.Joines: Design of Yagi-Uda Antennas Using Genetic Algorithms, IEEE Trans.A・P Vol.45, No.9 Sept. 1997で報告されている。
【０００３】図１７は、従来の方法を用いて設計された４素子八木・宇田アンテナの一構成例を示す構成図である。従来のＧＡによる八木・宇田アンテナの最適化の手法は、素子数をあらかじめ定め（本構成例の場合は素子数＝４）、つぎに各素子の素子長（本構成例ではＬ１、Ｌ２、Ｌ３、Ｌ４）と素子間隔（本構成例ではＳ２，Ｓ３、Ｓ４）を未知数として、これらの未知数を未知数列として配列して染色体を構成していた。
【０００４】本構成例における未知数によって構成される染色体の構成例を図１８に示す。図１８に示されるように、素子長（Ｌ１，．．，Ｌ４）、素子間隔（Ｓ２，．．，Ｓ４）をそれぞれ６ｂｉｔの二値データで構成し、素子長Ｌ１、Ｌ２，Ｌ３，Ｌ４をあらわす４つの６ビット二値データと素子間隔Ｓ２、Ｓ３，Ｓ４をあらわす３つの６ビット二値データを交互に並べることにより、該アンテナ構成例の染色体を形成する。
【０００５】この従来のＧＡを用いた八木・宇田アンテナの設計方法を示すフローチャートを図２２に示す。はじめに、図１８に示されるような、素子間隔と素子長で構成された未知数列（＝染色体）を、あらかじめ定めた個数だけ乱数を用いて生成し、生成されたこれら染色体を初期値とする（Ｓｔｅｐ１）。
【０００６】次に、これら初期値として生成された染色体を用いて、モーメント法を使ってそれぞれの染色体のアンテナ特性をシミュレーションにより求める（Ｓｔｅｐ２）。
【０００７】次に以下の式
O(x)=aG(x)-b｜50-Re(Z(x))｜-c｜Im(Z(x))｜
で与えられる対象関数Ｏ（ｘ）を用いてそれぞれの染色体のランク付けを行う（Ｓｔｅｐ３）。ここで、Ｇ（ｘ）は指向性利得、Ｚ（ｘ）はインピーダンス、Ｒｅ（ｘ）はｘの実部を、Ｉｍ（ｘ）はｘの虚部を表わすものとし、またａ，ｂ，ｃは、それぞれの項目の重要度を表す係数である。
【０００８】上記対象関数によって求めたそれぞれの染色体のランク付けに基づいて、該ランク付けされた染色体から新しい世代の染色体を作る遺伝的操作を行う（Ｓｔｅｐ４）。
【０００９】最後に、上記新しい世代の染色体が収束条件を満たしているか否かを判断し（Ｓｔｅｐ５）、収束条件を満たしていれば処理を終了し、満たしていなければ、該新しい世代の染色体について、前記Ｓｔｅｐ２からＳｔｅｐ５をおこない、収束条件が満たされるまで同様の処理が繰り返される。」（３頁３〜４欄、段落２〜９）
　ロ．「【００３６】このように染色体毎に乱数により未知数を設定して得られるアンテナ構造においては、無給電素子の素子長や取り得る座標位置に応じて、該無給電素子が導波器としても反射器としても動作する。したがって、上記ステップ２において得られた、染色体に対応するアンテナ構造は、コーナリフレクタアンテナのような反射板付きのアンテナと八木・宇田アレーアンテナのような無給電素子（導波器）を有するアンテナの融合モデルとしてとらえることができる。」（６頁９〜１０欄、段落３６）
　ハ．「【００４５】次に、ステップＳ７について説明する。前記ステップＳ６においてランク付けされた１２０個の染色体の中から、アンテナ特性の優れたものを優先的に保存しつつ、次に示す遺伝的操作を実施する。」（７頁１１欄、段落４５）
　
　上記「アンテナ特性の優れたものを優先的に保存しつつ、次に示す遺伝的操作を実施する」という構成はいわゆる「遺伝子的な学習過程」であり、上記「対象関数」は前記「遺伝子的な学習過程」で用いる「規範信号」（即ち、「学習に用いる規範信号」）のことである。
　したがって、例えば上記周知例５に開示されているように「シミュレートしたアンテナ特性と規範信号とに基づいて遺伝子的な学習過程による収束処理を行ってアンテナ素子長の最適解を求める八木・宇田アンテナの設計方法」は周知である。
　
３．対比
　本願発明と引用発明とを対比するに、本願発明の「平面上あるいは曲面上に配列された」構成は引用発明の「平面上に配列された」構成を包含する構成であるから、この点に実質的な差異はない。
　また、引用発明の「パラサイト素子の出力を、短絡、開放の２つの状態のいずれかに設定する」構成と本願発明の「パラサイト素子の出力を、負荷、短絡、開放の３つの状態のいずれかに設定する」構成はいずれも「パラサイト素子の出力を、複数の状態のいずれかに設定する」構成の点で一致している。
　また、引用発明の「上記アンテナの放射素子が受信した受信信号を復調するとともに、制御信号を発生する受信装置と、上記制御信号に基づいて、上記ＥＳＰＡＲアンテナの各パラサイト素子の出力を制御するアンテナ制御部とを備えた」という構成と本願発明の「上記アンテナの放射素子が受信した受信信号を復調するとともに、学習に用いる規範信号を発生する受信装置と、上記受信信号と学習に用いる規範信号とに基づいて、上記ＥＳＰＡＲアンテナの各パラサイト素子の出力を制御するアンテナ制御部とを備え、上記アンテナ制御部は、上記受信装置からの受信信号と学習に用いる規範信号とに基づいて上記スイッチング手段を制御するためのスイッチング制御信号を発生するスイッチング制御信号発生手段により構成され、学習過程による収束処理を行ってアンテナ指向性の最適解を求めるものである」という構成はいずれも「上記アンテナの放射素子が受信した受信信号を復調するとともに、所定信号を発生する受信装置と、与えられた信号に基づいて、上記ＥＳＰＡＲアンテナの各パラサイト素子の出力を制御するアンテナ制御部とを備えた」という構成である点で一致している。
　また、引用発明の「通信システム」と本願発明の「アダプティブアンテナ」はいずれも受信装置とアンテナを組み合わせた「受信装置付アンテナシステム」である点で一致している。
　したがって、本願発明と引用発明は、以下の点で一致ないし相違する。
　
＜一致点＞
　「平面上あるいは曲面上に配列された複数のアンテナ素子を備え、上記配列された複数のアンテナ素子のうちの一つを放射素子とし、また他のすべてのアンテナ素子をパラサイト素子として構成したＥＳＰＡＲアンテナと、
　上記ＥＳＰＡＲアンテナのパラサイト素子ごとに、対応するパラサイト素子の出力を、複数の状態のいずれかに設定するように状態を切り替えるスイッチング手段と、
　上記アンテナの放射素子が受信した受信信号を復調するとともに、所定信号を発生する受信装置と、
　与えられた信号に基づいて、上記ＥＳＰＡＲアンテナの各パラサイト素子の出力を制御するアンテナ制御部とを備えた受信装置付アンテナシステム。」
　
＜相違点＞
（１）「パラサイト素子の出力を、複数の状態のいずれかに設定する」構成に関し、本願発明は「パラサイト素子の出力を、負荷、短絡、開放の３つの状態のいずれかに設定する」構成であるのに対し、引用発明は「パラサイト素子の出力を、短絡、開放の２つの状態のいずれかに設定する」構成である点。
（２）「上記アンテナの放射素子が受信した受信信号を復調するとともに、所定信号を発生する受信装置と、与えられた信号に基づいて、上記ＥＳＰＡＲアンテナの各パラサイト素子の出力を制御するアンテナ制御部とを備えた」という構成に関し、本願発明は「上記アンテナの放射素子が受信した受信信号を復調するとともに、学習に用いる規範信号を発生する受信装置と、上記受信信号と学習に用いる規範信号とに基づいて、上記ＥＳＰＡＲアンテナの各パラサイト素子の出力を制御するアンテナ制御部とを備え、上記アンテナ制御部は、上記受信装置からの受信信号と学習に用いる規範信号とに基づいて上記スイッチング手段を制御するためのスイッチング制御信号を発生するスイッチング制御信号発生手段により構成され、学習過程による収束処理を行ってアンテナ指向性の最適解を求めるものである」という構成であるのに対し、引用発明は「上記アンテナの放射素子が受信した受信信号を復調するとともに、制御信号を発生する受信装置と、上記制御信号に基づいて、上記ＥＳＰＡＲアンテナの各パラサイト素子の出力を制御するアンテナ制御部とを備えた」という構成である点。
（３）「受信装置付アンテナシステム」に関し、本願発明は「アダプティブアンテナ」であるのに対し、引用発明は「通信システム」である点。
　
４．判断
　そこで、まず、上記相違点（１）の「パラサイト素子の出力を、複数の状態のいずれかに設定する」構成について検討するに、本願発明の「負荷、短絡、開放の３つの状態」とはそれぞれ「導波器」、「反射器」、「無反射器」の３つの状態であるところ、例えば上記周知例１、２に開示されているように「パラサイト素子ごとに、対応するパラサイト素子を、導波器、無反射器、反射器の３つの状態のいずれかに設定して望ましい指向特性を得るＥＳＰＡＲアンテナ」は周知（以下、「周知技術１」という。）であり、また例えば上記周知例３、４に開示されているように「パラサイト素子ごとに、対応するパラサイト素子の出力を、負荷（即ち、導波器）、短絡（即ち、反射器）の２つの状態のいずれかに設定するスイッチング手段を備えたＥＳＰＡＲアンテナ」も周知（以下、「周知技術２」という。）であり、且つ、これらの周知技術１、２を引用発明に適用する上での阻害要因は何も見あたらないから、これらの周知技術１、２に基づいて、引用発明の「パラサイト素子の出力を、短絡（即ち、反射器）、開放（即ち、無反射器）の２つの状態のいずれかに設定する」構成に、「導波器」（即ち、本願発明でいう「負荷」）の状態を追加して、本願発明のような「パラサイト素子の出力を、負荷、短絡、開放の３つの状態のいずれかに設定する」構成とする程度のことは当業者であれば適宜なし得ることである。
　
　ついで、上記相違点（２）の「上記アンテナの放射素子が受信した受信信号を復調するとともに、所定信号を発生する受信装置と、与えられた信号に基づいて、上記ＥＳＰＡＲアンテナの各パラサイト素子の出力を制御するアンテナ制御部とを備えた」という構成について検討するに、例えば上記周知例５に開示されているように「シミュレートしたアンテナ特性と規範信号とに基づいて遺伝子的な学習過程による収束処理を行ってアンテナ素子長の最適解を求める八木・宇田アンテナ設計方法」は周知であり、当該周知の設計方法を、結果として八木型アンテナを構成する引用発明におけるパラサイト素子の素子長の最適化に適用する上での阻害要因も何ら見あたらないから、引用発明のパラサイト素子の素子長の最適な組合せを選択するに際し、当該周知の設計方法を採用するとともに、当該周知の設計方法で利用する規範信号と比較されるべき信号として、当該設計方法で用いる「シミュレートされたアンテナ特性」から引用発明の比較手段で用いられるような例えば実測された「受信信号」（の振幅）に変更し、また引用発明の「制御信号」を前記「受信信号」と前記「学習に用いる規範信号」に基づいて導出される制御信号とすることにより、引用発明の「上記アンテナの放射素子が受信した受信信号を復調するとともに、制御信号を発生する受信装置と、上記制御信号に基づいて、上記ＥＳＰＡＲアンテナの各パラサイト素子の出力を制御するアンテナ制御部とを備えた」という構成を、本願発明のような「上記アンテナの放射素子が受信した受信信号を復調するとともに、学習に用いる規範信号を発生する受信装置と、上記受信信号と学習に用いる規範信号とに基づいて、上記ＥＳＰＡＲアンテナの各パラサイト素子の出力を制御するアンテナ制御部とを備え、上記アンテナ制御部は、上記受信装置からの受信信号と学習に用いる規範信号とに基づいて上記スイッチング手段を制御するためのスイッチング制御信号を発生するスイッチング制御信号発生手段により構成され、学習過程による収束処理を行ってアンテナ指向性の最適解を求めるものである」という構成とする程度のことも当業者であれば適宜なし得ることである。
　
　ついで、上記相違点（３）の「受信装置付アンテナシステム」について検討するに、一般に「アダプティブアンテナ」は受信装置で受信した信号をアンテナ構成にフィードバックする構成を含むアンテナシステムであるから、引用発明の受信装置からの制御信号に基づいてそのインピーダンス値を切り換える構成のＥＳＰＡＲアンテナを備えた「通信システム」を、本願発明のような「アダプティブアンテナ」として構成する程度のことも当業者であれば適宜なし得ることである。
　
５．むすび
　以上のとおり、本願発明は、引用発明及び周知技術に基づいて当業者が容易に発明をすることができたものと認められるから、特許法第２９条第２項の規定により、特許を受けることができない。
　
　よって、結論のとおり審決する。